(57)【要約】      （修正有）【課題】部品点数を削減すると共に、組み立て作業等の利便性も向上させた小動物用運動器具を提供する。【解決手段】前面側に形成される開口部１０と、背面側に形成される壁面部１５と、壁面部１５に形成される貫通孔とを有する回転輪１と、貫通孔に背面から挿入される軸受ホルダー２と、この軸受ホルダー２に取り付けられる軸受３と、軸受ホルダー２に前面側から結合されて、軸受ホルダー２を回転輪１の壁面部１５に固定するためのキャップ部材４と、スタンドに取り付けられるシャフト部材５を備え、シャフト部材５に形成されたシャフト５２が軸受３に圧入され結合されることを特徴とする。【選択図】図４
2020080814.tif 000002
【特許請求の範囲】
【請求項１】
前面側に形成される開口部と、背面側に形成される壁面部と、壁面部に形成される貫通孔とを有する回転輪と、
前記貫通孔に背面から挿入される軸受ホルダーと、
この軸受ホルダーに取り付けられる軸受と、
軸受ホルダーに前面側から結合されて、軸受ホルダーを回転輪の前記壁面部に固定するためのキャップ部材と、
取付部に取り付けられるシャフト部材と、を備え、
シャフト部材に形成されたシャフトが前記軸受に圧入され結合されることを特徴とする小動物用運動器具。
【請求項２】
前記軸受ホルダーには、位置決め凸部が形成されており、回転輪の前記貫通孔に形成された位置決め凹部に嵌合されることを特徴とする請求項１に記載の小動物用運動器具。
【請求項３】
前記キャップ部材には、前記回転輪の壁面部に当接する当接部が形成され、この当接部には壁面部に圧接可能な突起が多数形成されていることを特徴とする請求項１又は２に記載の小動物用運動器具。
【発明の詳細な説明】
【技術分野】
【０００１】
本発明は、回転輪とその取り付け支持機構を有する小動物用運動器具に関するものである。
【背景技術】
【０００２】
かかる小動物用運動器具として、下記特許文献１，２に開示されるものが公知である。この小動物用運動器具は、回転輪に乗った小動物（ハムスター、リスなど）が走りながら回転輪を回すことで、狭い飼育ケージ内における小動物の運動不足を解消できるようにするものである。
【０００３】
特許文献１に開示される小動物用運動器具は、車輪状本体（回転輪）が水平軸となる回転体の心軸に固定される一方、回転体は、心軸と該心軸より径大の回転体本体とを備え、回転体本体の外周の一部が軸受により包囲されると共に、軸受により包囲された回転体の一部と軸受とが車輪状本体外のホルダー内に収容され、ホルダーが、小動物飼育用容器本体の側壁内面に固定されてなる構成を開示する。
【０００４】
特許文献２に開示される小動物用運動器具は、一側の壁に貫通穴が形成される輪本体（回転輪）と、輪本体に取り付けられる軸心構造と、輪本体を挟設するように軸心構造に取り付けられる固定構造とを有する。軸心構造において、ベアリング及び軸心を備え、ベアリングは、輪本体の貫通穴に嵌め込まれる。固定構造は、フロントキャップ及びバックキャップを備え、フロントキャップは、軸心の前端部に取り付けられ、バックキャップは、軸心の後端部に取り付けられる。
【先行技術文献】
【特許文献】
【０００５】
【特許文献１】特許第３８２０３９４号
【特許文献２】実用新案登録第３２０９０１６号
【発明の概要】
【発明が解決しようとする課題】
【０００６】
上記の先行技術において、特許文献１は、回転輪の他に回転体（回転体本体及びボルト状心軸）、軸受、ホルダー（ホルダー本体、蓋体）により構成されており、７点の部品を要している。従って、部品点数が多くなり部品管理や組み立てなどが煩雑になる。
【０００７】
特許文献２については、回転輪の他には、止め板、バックキャップ、フロントキャップ、軸受により構成され、部品点数は特許文献１の場合よりも少なくなっている。しかしながら、止め板の両端にネジが形成されており、組み立てのためにネジが２カ所あるので、その点において煩雑である。また、回転輪に軸受を直接組み込んでおり、洗浄作業のときに不便である。
【０００８】
本発明は上記実情に鑑みてなされたものであり、その課題は、部品点数を削減すると共に、組み立て作業等の利便性も向上させた小動物用運動器具を提供することである。
【課題を解決するための手段】
【０００９】
上記課題を解決するため本発明に係る小動物用運動器具は、
前面側に形成される開口部と、背面側に形成される壁面部と、壁面部に形成される貫通孔とを有する回転輪と、
前記貫通孔に背面から挿入される軸受ホルダーと、
この軸受ホルダーに取り付けられる軸受と、
軸受ホルダーに前面側から結合されて、軸受ホルダーを回転輪の前記壁面部に固定するためのキャップ部材と、取付部に取り付けられるシャフト部材と、を備え、
シャフト部材に形成されたシャフトが前記軸受に圧入され結合されることを特徴とするものである。
【００１０】
かかる構成を有する小動物用運動器具の作用・効果を説明する。この器具は、回転輪、軸受ホルダー、軸受、キャップ部材、シャフト部材により構成され、部品点数を最小限に抑えている。軸受は直接回転輪に結合するのではなく、軸受ホルダーに組み込むようにしている。軸受ホルダーとキャップ部材の結合はネジにより行ってもよいが、他の結合手段で行ってもよい。シャフト部材に形成されたシャフトが軸受に圧入されるように構成されているので、組立時においてネジ結合は最大で１か所になる。また、回転輪にすべての部品を結合したのちにシャフト部材を取付部に取り付けることができるので組立作業が簡単であり、洗浄のための分解・組立の利便性も向上する。その結果、部品点数を削減すると共に、組み立て作業等の利便性も向上させた小動物用運動器具を提供することができる。
【００１１】
本発明に係る前記軸受ホルダーには、位置決め凸部が形成されており、回転輪の前記貫通孔に形成された位置決め凹部に嵌合されることが好ましい。
【００１２】
かかる構成により、軸受ホルダーを回転輪に仮組立したとき不用意に軸受ホルダーが動かなくなるので組立をしやすくなる。
【００１３】
本発明に係る前記キャップ部材には、前記回転輪の壁面部に当接する当接部が形成され、この当接部には壁面部に圧接可能な突起が多数形成されていることが好ましい。
【００１４】
かかる構成により、キャップ部材を回転輪に対してしっかりと固定することができ、キャップ部材の結合状態が不用意に緩んだりすることを抑制することができる。
【図面の簡単な説明】
【００１５】
【図１】本実施形態に係る小動物用運動器具をスタンドに取り付けた状態を示す前面側からみた外観斜視図
【図２】本実施形態に係る小動物用運動器具をスタンドに取り付けた状態を示す背面側からみた外観斜視図
【図３】図１に示す小動物用運動器具の分解斜視図
【図４】図１に示す小動物用運動器具を組み立てた状態の縦断面図
【図５】軸受ホルダーを前面側から見た図（平面図）
【図６】軸受ホルダーの側面図
【図７】軸受ホルダーの断面図
【図８】軸受ホルダーに軸受を組み込んだ状態の平面図
【図９】シャフト部材の側面図
【図１０】シャフト部材を前面側から見た平面図
【図１１】キャップ部材の外観斜視図
【図１２】キャップ部材の断面図
【発明を実施するための形態】
【００１６】
本発明に係る小動物用運動器具（以下、運動器具と略）の好適な実施形態をまず説明する。図１は、運動器具をスタンド（取付体に相当）に取り付けた状態を示す前面側から見た外観斜視図である。図２は、同じく背面側から見た外観斜視図である。図３は、運動器具の分解斜視図である。図４は、運動器具を組み立てた状態の縦断面図である。図５〜図１２は、各部品を個別に示す図である。
【００１７】
＜運動器具の構成＞
スタンド１００は、小動物を飼育するゲージ内に設置されるものである。スタンド１００は、載置部１０１と、立ち上がり部１０２と、取り付け部１０３が樹脂により一体形成される。取り付け部１０３は、立ち上がり部１０２の中央において上方に突出しており、垂直方向にスリット（長穴）１０４が形成される。このスリット１０４を利用して運動器具の取り付け高さを調整しながら取り付けることができる。取り付け部１０３は、スリット１０４が形成される前壁面１０３ａと、左右両側に側壁面１０３ｂが形成される。
【００１８】
図３の分解斜視図にも示すように、運動器具は、回転輪１、軸受ホルダー２、軸受３．キャップ部材４、シャフト部材５により構成される。回転輪１は、前面側に開口部１０が形成され、この開口部１０から小動物が回転輪１に入り込む。説明の便宜上、図４において、小動物が入り込む左側を前面側と定義し、右側を背面側と定義する。
【００１９】
回転輪１は、大径部１１と小径部１２が、例えば、透明樹脂により一体形成される。大径部１１は、開口部１０に近くなるほど径が少しずつ大きくなる。大径部１１の内壁面には、円周方向に沿って多数の直線状の突起１１ａが形成されている。小径部１２は、前面側からみると凹部として形成されており、この空間にキャップ部材４等が収容される。キャップ部材４は、凹部から飛び出さないように凹部の深さやキャップ部材４の高さが設定されている。すなわち、小動物が回転輪１を回転させて運動するときにキャップ部材４等の部品が邪魔にならないようにしている。
【００２０】
図５は、軸受ホルダー２を前面側から見た図（平面図）である。図６は、同じく側面図であり、図７は、同じく断面図である。図８は、軸受ホルダーに軸受を組み込んだ時の前面側から見た図である。
【００２１】
図４にも示すように、軸受ホルダー２は、回転輪１の背面側（図４の右）から組み込まれる。軸受ホルダー２は、第１平面部２０と、円筒部２１とが樹脂により一体形成される。第１平面部２０は円形のプレート状である。第１平面部２０の中央には貫通孔２２が形成され、後述のシャフト部材５のシャフト５２がここを貫通する。
【００２２】
円筒部２１の外周には雄ねじ２３が形成される。円筒部２１の内部は、軸受３を取り付けるための収容部２４である。収容部２４の内壁面には６カ所の突起２５が形成されている。突起２５は、軸方向に沿って所定の長さを有する。軸受３を挿入するときに軸受３の外輪３０が突起２５に圧接し、軸受３を収容部２４に圧入することで固定する。突起２５の個数や形状、突出量は圧入作業のやりやすさや取り付け強度を考慮して適宜決めることができる。
【００２３】
軸受３は、例えば、ボールベアリングであり、外輪３０と内輪３１とその間に配置される多数のボール（不図示）などにより構成される。軸受３は、一般的なものを使用することができる。軸受３の内輪３１の内径は、貫通孔２２の内径よりも少し小さくなるように設定される。
【００２４】
軸受ホルダー２の円筒部２１の外周面であって、第１平面部２０の位置に、２カ所１８０゜対称的に位置決め凸部２６が形成される。これに対応して、図１に示すように、回転輪１の小径部１２には貫通孔１３が形成されており、この貫通孔１３に位置決め凸部２６が嵌合する位置決め凹部１４が２カ所形成されている。これにより、軸受ホルダー２を回転輪１に組み込んだ時に軸受ホルダー２が不用意に回転しないので安定した状態で結合することができる。
【００２５】
図１１は、キャップ部材４の外観斜視図である。図１２は、キャップ部材４の断面図である。キャップ部材４は、軸受ホルダー２を回転輪１に固定するために用いられる。キャップ部材４は、第１円筒部４０と第２円筒部４１が一体形成されており、第１円筒部４０の方が第２円筒部４１よりも大径である。第１円筒部４０の内面には雌ねじ４２が形成されており、この雄ねじ４２が軸受ホルダー２の雄ねじ２３と螺合する。
【００２６】
第１円筒部４０の先端部には多数の突起４３（当接部）が先端部の円周端面に沿って形成されている。この突起４３は、回転輪１の小径部１２の壁面部１５（図１、図４参照）に当接可能である。これにより、軸受ホルダー２及びキャップ部材４をしっかりと回転輪１に結合することができる。また、第１円筒部４０の先端部は、キャップ部材４の最外周の先端よりも長さａだけ突出しているので（図１２参照）、確実に突起４３を壁面部１５に当接させることができる。本実施形態において、突起４３の形状はほぼ三角形であるが、形状は特に限定されるものではない。また、突起４３の配置個数も適宜決めることができる。
【００２７】
第２円筒部４１の先端部は、図４にも示すように、軸受３の表面に当接可能であり、これにより、軸受３が軸方向に不用意に移動することを防止することができる。
【００２８】
図９はシャフト部材５の側面図であり、図１０は同じく前面側から見た平面図である。シャフト部材５は、つまみ部５０と、第２平面部５１と、シャフト５２が樹脂により一体形成されている。つまみ部５０と第２平面部５１の間には隙間５３が形成されている。
【００２９】
つまみ部５０は、手でつまみやすいように細長い形状を呈している。第２平面部５１は、円形のプレート状に形成されている。隙間５３の大きさは、前壁面１０３ａの厚さよりも若干小さいように設定される。これにより、つまみ部５１を摩擦力で前壁面１０３ａに保持することができる。
【００３０】
シャフト５２は、軸受３０の内輪３１に圧入される。シャフト５２には、途中に大径部５２ａが形成されており、この大径部５２ａは内輪３１の内径よりも少し大きくなるように設定されている。これにより、シャフト５２の軸受３への挿入位置を定めることができる。
【００３１】
＜組立手順＞
次に、運動器具の組立手順について説明する。まず、軸受ホルダー２の収容部２４に軸受３を圧入する。次に、シャフト部材５のシャフト５２を軸受３の内輪３１に圧入する。これら軸受３とシャフト部材５が組み込まれた軸受ホルダー２を回転輪１の貫通孔１３に背面側から挿入する。このとき、軸受ホルダー２に形成された位置決め凸部２６を貫通孔１３に形成された位置決め凹部１４に合わせて挿入する。これにより、軸受ホルダー２は貫通孔１３に回転不能な状態で挿入される。
【００３２】
次に、キャップ部材４を回転輪１の前面側から挿入し、軸受ホルダー２と結合する。軸受ホルダー２に形成された雄ねじ２３とキャップ部材４に形成された雌ねじ４２を螺合することで両者は結合される。しっかりと螺合した状態では、キャップ部材４に形成された突起４３が回転輪１の壁面部１５に当接して、その摩擦力によりキャップ部材４が緩まないように締め付けることができる。軸受ホルダー２とキャップ部材４の結合が完了すると、運動器具の組立が完了する。組立が完了した状態では、シャフト部材５の第２平面部５１と軸受ホルダー２の第１平面部２０とは少し間隔を保持した状態になる。従って、回転輪１が抵抗なくスムーズに回転することができる。
【００３３】
上記のように組み立てられた運動器具のシャフト部材５をスタンド１００の前壁面１０３ａに結合する。具体的には、スリット１０４の前面側からつまみ部５０を挿入する。スリット１０４の長手方向とつまみ部５０の長手方向をあわせることでスリット１０４につまみ部５０を挿入することができる。その後、つまみ部５０を９０度回転することで、つまみ部５０と第２平面部５１の間に形成された隙間５３に前壁面１０３ａが位置し、摩擦力によりシャフト部材５が保持される。シャフト部材５はスリット４を上下移動できるので、適切な位置にシャフト部材５を保持すればよい。
【００３４】
本発明の構成によれば、回転輪１とキャップ部材４や軸受ホルダー２を切り離すことができるので洗浄するときに便利である。また、構成部品は、回転輪１、軸受ホルダー２、軸受３、キャップ部材４、シャフト部材５の５点であり、最小限の部品点数で運動器具を構成することができている。また、運動器具をすべて組み立てた状態でスタンド１００に取り付けることができるので、組み立て作業性が向上する。なお、組立手順は上記に限定されるものではない。
【００３５】
＜別実施形態＞
本実施形態において、取付体としてケージ内に設置されるスタンド１００を例示しているが、本発明はこれに限定されるものではない。例えば、ワイヤーケージの側面に直接運動器具を取り付けるようにしてもよい。あるいは、ケージに付属する回転輪用ホルダーに取り付けて、これをケージに取り付けてもよい。なお、スタンド１００やホルダー自体の構成も種々のものが考えられるので、特定の構成に限定されるものではない。
【００３６】
位置決め凹部１４と位置決め凸部２６の凹凸の関係については逆にしてもよい。
【符号の説明】
【００３７】
１          回転輪
１０        開口部
１１        大径部
１２        小径部
１３        貫通孔
１４        位置決め凹部
１５        壁面部
２          軸受ホルダー
２０        第１平面部
２１        円筒部
２２        貫通孔
２３        雄ねじ
２４        収容部
２５        突起
２６        位置決め凸部
３          軸受
３０        外輪
３１        内輪
４          キャップ部材
４０        第１円筒部
４１        第２円筒部
４２        雌ねじ
４３        突起
５          シャフト部材
５０        つまみ部
５１        第２平面部
５２        シャフト
５３        隙間
１００      スタンド
１０３      取り付け部
１０３ａ    前壁面
１０４      スリット
【図１】
2020080814.tif 000003
【図２】
2020080814.tif 000004
【図３】
2020080814.tif 000005
【図４】
2020080814.tif 000006
【図５】
2020080814.tif 000007
【図６】
2020080814.tif 000008
【図７】
2020080814.tif 000009
【図８】
2020080814.tif 000010
【図９】
2020080814.tif 000011
【図１０】
2020080814.tif 000012
【図１１】
2020080814.tif 000013
【図１２】
2020080814.tif 000014